(57)【要約】  本発明は、例えば防護バリアに使用するための防護パネル（１）、及び防護パネルの形成方法に関する。広げられた金属製の網（２）を含み、網は複数の側部（１１）により境界づけられてそれらの間を通る孔（９）を有し、少なくとも一つの前記孔（９）は独立した刺部材（４）が付設された少なくとも一つの側部（１１）を有し、刺部材はパネル（１）の平面に沿って前記孔（９）の他方の側部（１１）に向かって延びる少なくとも一つの刺（１４）を有する防護パネル（１）である。
2007501346.tif 000002
【特許請求の範囲】
【請求項１】
広げられた金属製の網（２）を含み、網は複数の側部（１１）により境界づけられてそれらの間を通る孔（９）を有し、少なくとも一つの前記孔（９）は独立した刺部材（４）が付設された少なくとも一つの側部（１１）を有し、刺部材はパネル（１）の平面に沿って前記孔（９）の他方の側部（１１）に向かって延びる少なくとも一つの刺（１４）を有する防護パネル（１）。
【請求項２】
前記刺部材（４）は少なくとも一つの前記孔（９）の全ての側部（１１）に付設されている請求項１に記載の防護パネル（１）。
【請求項３】
刺部材（４）は、パネル（１）の平面に沿って前記孔（９）の他方の側部（１１）に向かって延びる複数の前記刺（１４）を有する請求項１または２に記載の防護パネル（１）。
【請求項４】
刺部材（４）は３つ一まとめの複数の刺先（１５、１６、１７）を含み、前記刺先のうち第１（１５）と第２の刺先（１６）は、前記孔（９）の対応する側部（１１）と平行に、反対方向に向かって延び、第３の刺先（１７）は、前記孔（９）の対応する側部（１１）から直角に離れる方向に延びている請求項１乃至３のいずれかに記載の防護パネル（１）。
【請求項５】
少なくとも一つの前記刺（１４）は複数の刺先（１５、１６、１７）を有し、前記各刺先は前記孔（９）の他方の側部（１１）に向かって延びている請求項１乃至４のいずれかに記載の防護パネル（１）。
【請求項６】
孔（９）の各側部（１１）は延ばされた金属製のストリップ（６）から形成され、各金属製のストリップは網の結節点（８）において隣接する金属製のストリップ（６）と一体的に接合され、刺部材（４）が一つの対応する金属製のストリップ（６）に付設される請求項１乃至５のいずれかに記載の防護パネル（１）。
【請求項７】
刺部材（４）は網の結節点（８）の間にある一つかそれ以上の点において、対応する一つの金属製のストリップ（６）に付設される請求項６に記載の防護パネル（１）。
【請求項８】
刺部材（４）は完全に網の結節点（８）の間にある請求項６または７に記載の防護パネル（１）。
【請求項９】
刺部材（４）は、刺部材（４）が付設される対応する金属製ストリップ（６）と相補的な形状を有する溝（１２）を有し、金属製のストリップ（６）は、刺部材（４）が対応する金属製のストリップ（６）に付設される際に溝（１２）の中に嵌る請求項６から８のいずれかに記載の防護パネル（１）。
【請求項１０】
刺（１４）は、パネル（１）の平面上を前記溝（１２）から直角に離れる方向に延びる対応する基部（１８）を有する請求項９に記載の防護パネル（１）。
【請求項１１】
刺部材（４）は、対応する金属製のストリップ（６）の長さ方向に沿って間隔を空けられ、パネル（１）の平面上を同じ孔（９）の他方の側部（１１）に向かって延びる少なくとも一組の前記刺（１４）を有し、各組の前記刺（１４）は、いずれの隣接する刺（１４）の基部（１８）からも明確に区分された基部（１８）を有する請求項１０に記載の防護パネル（１）。
【請求項１２】
刺部材（４）は、対応する金属製のストリップ（６）の周囲に巻き付けられる一つかそれ以上のタブ（２４）を有する請求項６乃至１１のいずれかに記載の防護パネル（１）。
【請求項１３】
請求項１０から付随して、前記タブ（２４）は隣接する一組の刺（１４）の基部（１８）の間に設けられている請求項１２に記載の防護パネル（１）。
【請求項１４】
刺部材（４）は、対応する金属製のストリップ（６）の長さ方向に沿った間隔を空けて少なくとも一組の前記刺（１４）を有し、少なくとも一つの前記タブ（２４）は隣接する組の前記刺（１４）の間に配置されている請求項１２または１３に記載の防護パネル（１）。
【請求項１５】
少なくとも２本の直立するフェンス支柱（３２）と防護パネル（１）とを含み、前記防護パネルは前記フェンス支柱（３２）により支持されており、防護パネル（１）は先行するいずれかのクレームに記載されたものである防護フェンス。
【請求項１６】
金属製のシートに複数の交差しない切れ目を生成する工程と、切れ目の入ったシートを広げることにより広げられた金属製の網（２）であって、複数の側部（１１）により境界づけられてそれらの間を通る孔（９）を有する網を形成する工程と、広げられた金属製の網（２）とは独立した一つまたはそれ以上の金属製の刺部材（４）であって、少なくとも一つの刺（１４）が延びている刺部材（４）を形成する工程と、少なくとも一つの前記刺部材（４）を少なくとも一つの前記孔（９）の側部（１１）に、少なくとも一つの刺（１４）がパネル（１）の平面に沿って前記孔（９）の前記他方の側部（１１）に向かって延びるように付設する工程とを含む防護パネル（１）の形成方法。
【請求項１７】
刺部材（４）を金属製の網（２）の一組の結節点（８）の間に付設する工程を含む請求項１６に記載の防護パネル（１）の形成方法。
【請求項１８】
少なくとも一つの延ばされたタブ（２４）を有する刺部材（４）を形成する工程と、前記孔（９）の前記側部（１１）に刺部材（４）を付設するために、孔（９）を境界づける金属製の網（２）の一部の周囲にタブ（２４）を巻き付ける工程を含む請求項１６または１７に記載の防護パネル（１）の形成方法。
【請求項１９】
金属製の網（２）の結節点（８）の間の一つまたはそれ以上の点において、刺部材（４）を金属製の網（２）に溶接する工程を含む請求項１６乃至１８のいずれかに記載の防護パネル（１）の形成方法。
【発明の詳細な説明】
【技術分野】
【０００１】
本発明は、例えば防護壁において使用するための防護パネル、及び防護パネルの形成方法に関する。
【背景技術】
【０００２】
一般に防護壁は、その周囲に間隔を空けて刺を有する金属テープを延ばした直線部分から形成される。この金属テープは、伝統的には鉄条網であり、通常、一定間隔で絡み合わされたワイヤ刺を伴う２本かそれ以上の編んだワイヤからなる。あるいは、金属テープはレイザーワイヤであり、通常、側方に延びる平面的な刺を有する中央ワイヤを有する。このようなレイザーワイヤの例は、米国特許第４５０９７２６号に開示されている。
【０００３】
単に平行に延びる金属テープのストランドにより形成された壁よりも頑丈かつ安全な壁を得るために、金属テープ及び特定のレイザーワイヤを防護網パネルに形成することは知られている。このような防護網の一つはカナダ特許１１９０４３３に開示されており、まっすぐなレイザーワイヤがのこぎり歯パターンに曲げられ、隣接するのこぎり歯型に曲げられたレイザーワイヤと連結して形成された防護網パネルが示されている。次にこの網は接合点でリベット留めされ、あるいは溶接される。
【０００４】
レイザーワイヤにより形成される他のタイプの防護網パネルは、米国特許第４６６６１２９、イギリス特許２２５９７２２Ａ、ＷＯ００／６５１７８及び２２４０３５１Ａに開示されており、これら全てはレイザーワイヤの個々のストランドが溶接またはリベット留めにより相互に接合されて防護網パネルを形成している点でカナダ特許１１９０４３３に類似している。
【０００５】
このような防護網パネルには多数の課題が指摘されている。第１に、レイザーワイヤは、ストランド同士が固定される前に、膨大な数の個々のストランドが相互に関して整列されて形成されなければならない。生産環境において、これはストランドの操作と接合との両方を行うために特別に設計された機械装置を必要とする。第２に、原理的には溶接またはリベット留めにより周囲の材料と同じ強度とすることが可能でも、実際には各接合部は潜在的な弱さの原因となる。例えば、溶接は最適な方法で形成されることはない。同じ組立に異なるタイプの金属を使っても、元のレイザーワイヤへの亜鉛メッキによる保護仕上げに損傷が与えられても、溶接とリベット留めは何れも潜在的な腐食の原因となる。
【０００６】
後者の課題の一つの解決策は、ステンレス鋼によりレイザーワイヤを形成することだが、これは、特に防護網パネルにより形成される境界フェンスに大量に使用する場合には法外に高価についてしまう。
【０００７】
【特許文献１】カナダ特許１１９０４３３
【特許文献２】米国特許第４６６６１２９
【特許文献３】イギリス特許２２５９７２２Ａ
【特許文献４】ＷＯ００／０６５１７８
【特許文献５】イギリス特許２２４０３５１Ａ
【０００８】
本発明の目的は、これらの課題を処理する防護網パネルを提供することにある。
【発明の概要】
【０００９】
本発明によると、広げられた金属製の網を含み、網は複数の側部により境界づけられてそれらの間を通る孔を有し、少なくとも一つの前記孔は独立した刺部材が付設された少なくとも一つの側部を有し、刺部材はパネルの平面に沿って前記孔の他方の側部に向かって延びる少なくとも一つの刺を有する防護パネルが提供される。
【００１０】
防護パネルは広げられた網により形成されているので、網の結節点に溶接やリベットは必要ない。従ってパネルは、レイザーワイヤ個々の長さより形成される防護パネルにより達成できるもの以上の、固有の強度及び耐久性を有する。さらにまた、網の結節点において刺部材と網との間にいかなる溶接やその他の接合を必要としない。このような接合は網の結節点から完全に取り除くことができる。従って、これらの接合の形態や性能は結節点における網の強度に悪影響を及ぼすことはない。防護パネルに生ずる応力は全て、一つかそれ以上の網の結節点に集中する傾向があるので、防護パネル全体の強度は、レイザーワイヤの各断片を接合した防護パネルに比較して、容易に改善されうる。
【００１１】
好適には、刺部材は少なくとも一つの前記孔の全ての側部に付設される。これにより、防護パネルの各孔に向かって突出した刺の数を最大にすることができ、その結果パネルによる防護を改善することができる。さらにまた、同じ理由により、刺部材はパネルの平面に沿って前記孔の前記他方の側部に向かって延びる複数の前記刺を有するようにすることができる。
【００１２】
本発明の一つの好適な実施例においては、刺部材は３つ一まとめの複数の刺先を有する。前記刺先のうち第１と第２のものは、前記孔の対応する側部と平行に、反対方向に向かって延び、第３の前記刺先は、前記孔の対応する側部から直角に離れる方向に延びている。
【００１３】
一般に、孔の各側部は延ばされた金属製のストリップ（細長い形状のもの）から形成され、各金属製のストリップは網の結節点において隣接する金属製のストリップと一体的に接合される。好適な実施例においては、その次に刺部材が一つの対応する金属製のストリップに付設される。刺部材の固定は網の結節点の強度に悪影響を及ぼさないように、刺部材は好適には網の結節点の間にある一つかそれ以上の点において、対応する一つの金属製のストリップに付設される。同様に、刺部材は好適には完全に網の結節点の間にある。
【００１４】
さらに本発明は、少なくとも２つの直立したフェンス支柱と、防護パネルとを含み、前記防護パネルは前記フェンス支柱により支持され、防護パネルは本発明に係るものである防護フェンスを提供する。
【００１５】
また本発明によると、金属製のシートに複数の交差しない切れ目を生成する工程と、切れ目の入ったシートを広げることにより広げられた金属製の網であって、複数の側部により境界づけられてそれらの間を通る孔を有する網を形成する工程と、広げられた金属製の網とは独立した一つまたはそれ以上の金属製の刺部材であって、少なくとも一つの刺が延びている刺部材を形成する工程と、少なくとも一つの前記刺部材を少なくとも一つの前記孔の側部に、少なくとも一つの刺がパネルの平面に沿って前記孔の前記他方の側部に向かって延びるように付設する工程とを含む防護パネルの形成方法が提供される。
【００１６】
この方法はさらに、刺部材を金属製の網の結節点の組の間に付設する工程を含んでいてもよい。
【００１７】
刺部材を金属製の網へ付設する一つの方法は、少なくとも一つの延長タブを有する刺部材を形成して、前記孔の前記側部に刺部材を付設するために、孔を境界づける金属製の網の一部の周囲にタブを巻き付けることである。
【００１８】
これに加えて、もしくはあるいは、金属製の網の結節点の間の一つ以上の点において、金属製の網に刺部材を溶接することによって、刺部材を金属製の網に付設することもできる。
【詳細な説明】
【００１９】
本発明は、添付の図面を参照しつつ、単なる例示のために、以下さらに説明される。
【００２０】
図１は防護網パネル１の一側面の平面図を表す。防護網パネル１は平面的に広げられた金属製網２より形成されている。金属製網２には、個々に延びる金属製刺部材４が、例えばスポット溶接により、堅固に付設されている。広げられた網２は、それ自体は金属製シートから常法に則って形成される。例えば、厚さ３ｍｍの軟鋼、亜鉛鉄板、あるいはステンレス鋼でもよいが、これに一連の平行な交差しないスリットを打ち抜く。スリットを形成した後、シートの相対する組の縁を引っ張ってシートを広げ、網２を形成する。もしも広げた金属シートに腐食防止が必要ならば、亜鉛メッキが施される。
【００２１】
また図２及び３を参照すると、図１に示したものの反対の防護網２の側面の拡大平面図、及び防護網の横断面図がそれぞれ示されている。網２は一連の隣接する金属製ストリップ６からなり、本実施例においてはこれは本質的に直線部分である。各直線部分６が隣接する直線部分と一体的に合流する網結節点８により、各直線部分６は境界づけられている。従って各網結節点８は、Ｘパターンにて４つの隣接する直線部分６に連結している。但し各網結節点８がＶパターンにて２つの隣接する直線部分６に連結している網の縁１０における場合を除く。
【００２２】
従って金属製網２は、４つの隣接する側部１１によりそれぞれ境界づけられた複数のダイヤモンド型の孔９を呈する。
【００２３】
各刺部材４は、完全に網結節点８の間に置かれており、網結節点８は網の直線部分６の相反する端に存在する。本実施例においては、各網結節点８の間に３つの刺部材４が設けられている。しかし結節点８の間には、１、２、４あるいはいくつかの適当な数の刺部材４が設けられていてもよい。
【００２４】
刺部材４は全体が金属製シート、好適には亜鉛鉄板またはステンレス鋼から打ち抜かれ、次に中心軸に沿って折り曲げられて、各刺部材４の全長に渡って延びる四角いＵ字型溝１２が形成される。図３より明らかなように、各直線部分６は正方形の横断面を有する。しかし横断面は長方形であってもよい。直線部分の横断面はＵ字型溝に対し相補的な形状を有しており、このため各刺部材４は対応する直線部分６にぴったり合う。従って各直線部分６は、刺部材４が対応する直線部分６に付設されるときに、溝１２の中に嵌る。
【００２５】
各刺部材４には、刺部材の相対する側部に沿って、少なくとも１、好適には２あるいは３の刺１４が形成されている。ここで、刺１４は複数の刺先を有する。刺１４の数及び間隔は、刺１４及び孔９の相対的なサイズに依存する。刺１４はそれぞれ、直線部分６とは間隔を置いて、Ｕ字型溝１２の全長と平行に延びる一組の刺先１５、１６を有する。第３の中間の刺先１７は溝１２及び直線部分６から直角に離れる方向に延びている。各刺先１５、１６、１７は平面図上では三角形状であり、防護網２の平面上を孔９の他の側部１１に向かって延びている。
【００２６】
刺部材４が金属製網２に組み付けられる際、各直線部分６と対応する刺部材４の相補的な四角形状は、金属網２の平面に刺部材４を整列させるのに役立つ。これにより、対応する直線部分６に刺部材４を強固に付設するのに先立って、各刺部材４を正しい位置に保持しておく必要がないので、製造過程を極めて簡単にすることができる。
【００２７】
各刺先１５、１６、１７を可能な限り鋭く作るために、刺部材４は好適には、例えば厚さ０．３ｍｍから０．５ｍｍの間の、比較的薄い金属板から打ち抜かれる。しかしながら、刺１４は手では反り曲げ難くなければならず、そのような曲げに対して各刺１４を補強するために、各刺１４は、網パネル２の平面上を溝１２から側方向に離れて延びる対応する基部１８を有する。各刺１４は中央くびれ部２０を有しており、そこから３つの刺先１５、１６、１７が突出しており、かつ基部１８が溝１２に向かって外側に広がっている。その結果、基部１８とくびれ部２０との配置は、各刺１４が直線部分６から十分な距離の間隔を空けることを可能にして防護力を高めることができ、そして同時に、刺先１５、１６、１７を反り曲げるように作用するてこの力の大きさを減衰するために、くびれ部２０と刺先１５、１６、１７との間の距離を減少させる。
【００２８】
基部１８の外側に広がった形状は、一組の平行な刺先１５、１６をよりむき出しにすることによって、これら刺先１５、１６の抑止有効性を増大させることにもなる。この理由により、各基部１８はいずれの隣接する刺１４の基部とも明確に区分されている。
【００２９】
各刺１４の有効性は、平行な刺先１５、１６の中央の溝１２からの側方向の間隔と少なくとも同じ間隔を、隣接する刺先１５、１６から長手方向に空けることによっても増大する。従って、各基部１８は、隣接する基部１８から空隙２２により分離されていることが特に好ましい。
【００３０】
さらにまた、この配置により、刺部材４が付設される対応する直線部分６の周囲に巻き付く一つかそれ以上のタブ２４を刺部材４が有していてもよい。図説された実施例において、そのような一組のタブ２４が、対応する金属製のストリップ６の長さ方向に沿った間隔を空けて設けられており、溝１２の相対する側部２５、２６から延びている。タブ２４は、刺部材４と対応する直線部分６との間の接合を強化するとともに、刺部材４の直線部分６への強固な付設に先立って、正確な位置に確実に各直線部分６が保持されることを担保するために、溶接前に直線部分６の周囲に巻き付けられる。
【００３１】
タブ２４は、刺部材を直線部分に溶接するのに先立って、刺部材４を対応する直線部分６に保持するために利用できる。他の実施例においては、図示していないが、刺部材４はタブを有さないが、対応する直線部分６にかしめ止めされている。かしめ止めは、例えば溶接によって強固に固着する前に、刺部材を保持しておくのには充分である。
【００３２】
上述のような防護パネル１は、パネル型の防護バリアが必要とされるさまざまな適用例に使用可能である。防護パネル１は、例えば防護ストリップが壁やフェンスの上端に備えられているような、防護バリアの一部のみを形成することもでき、あるいは防護バリア全体もしくは実質的に全体を形成することもできる。後者の応用の一例が図４に図説されており、地面３４中にしっかり打ち込まれた少なくとも２本の直立フェンス支柱３２を含み、防護パネル１がフェンス支柱３２により支持されている防護フェンス３０が示されている。一体化された網目結節点８における金属製ストリップ６同士の連続した相互連結のために、このような防護フェンス３０は、もともと独立のストリップをその後溶接やリベット留めにより結合した網構造に比較して、非常に堅固である。
【００３３】
要約すると、複数の独立した刺部材４が付設されている広げられた金属製網２より防護パネル１を形成することには多くの利点がある。まず第１に、刺部材４と網２との固定は、網の強度に悪影響を及ぼすことはない。金属製網２の腐食は特に網結節点において問題となるが、広げられた金属製網２における各網結節点８は、溶接やリベット留めその他を伴う必要がないので、各網結節点８はより腐食を受けにくい。従って本発明の防護パネル１は、耐久性のある防護バリアを形成するためにステンレス鋼のような高価な材料で形成する必要はない。
【００３４】
上述した刺部材４と網直線部分６との特殊な形状も、構造の組立及び防護網構造の根本的な抑止価値に関し、重要な利点をもたらす。
【００３５】
よって本発明は、さまざまな防護の応用例の範囲内で使用可能な経済的かつ利便性の高い防護パネルを提供するものである。
【図面の簡単な説明】
【００３６】
【図１】図１は、本発明に係る防護網パネルの一側面の平面図である。
【図２】図２は、図１の防護網パネルの反対側の側面の部分拡大平面図である。
【図３】図３は、図２の線ＩＩＩ−ＩＩＩに沿って切断した防護網パネルの横断面図である。
【図４】図４は、図１〜３の防護パネルを支持する直立フェンス支柱を含む防護フェンスを示す図である。
【符号の説明】
【００３７】
１  防護パネル
２  網
４  刺部材
６  金属製ストリップ
８  結節点
９  孔
１１  側部
１２  溝
１４  刺
１５、１６、１７  刺先
１８  基部
【図１】
2007501346.tif 000003
【図２】
2007501346.tif 000004
【図３】
2007501346.tif 000005
【図４】
2007501346.tif 000006
【国際調査報告】
2007501346.tif 000007
2007501346.tif 000008
2007501346.tif 000009